(57)【特許請求の範囲】
【請求項１】
少なくとも背面革と受球面革で構成される表革の内部に、少なくとも手甲革及び手掌革で構成される裏革を挿入し、前記裏革は前記手甲革と手掌革との周縁を縫着することで形成された内側指袋を有する野球またはソフトボール用捕球具であって、
着用者の指の根元部分から指先部分に至る領域のうち、少なくとも手掌側と左右両側とを含む領域に宛がわれる指部安定用部材を、内側親指袋、内側人差指袋、内側中指袋、内側薬指袋及び内側小指袋のうちの少なくとも一つの内側指袋内に配置したことを特徴とする野球又はソフトボール用捕球具。
【請求項２】
前記指部安定用部材が、指の根元部分から指先部分に至る領域の手掌側と左右両側とを含む領域に加えて手甲側の少なくとも一部にも宛がわれることを特徴とする請求項１に記載の野球又はソフトボール用捕球具。
【請求項３】
前記指部安定用部材が、着用者の手掌部に宛がわれる部分を含むことを特徴とする請求項１又は２に記載の野球又はソフトボール用捕球具。
【請求項４】
前記指部安定用部材は、指の手掌側に宛がわれる手掌部、指の左側に宛がわれる左側部、指の右側に宛がわれる右側部及び手掌部に宛がわれる延設部を少なくとも有する主部材と、主部材の縦方向中心部に設けられる略長方形状の副部材とで構成されることを特徴とする請求項１乃至３のいずれかに記載の野球又はソフトボール用捕球具。
【発明の詳細な説明】
【技術分野】
【０００１】
本発明は野球又はソフトボール用捕球具に関するものであり、詳細には指部安定用部材を設けることで、指のホールド性を向上しフィット感を実現可能な野球又はソフトボール用捕球具に関するものである。
【背景技術】
【０００２】
従来より、野球又はソフトボール用捕球具（以下、グラブとも称する。）に挿入した各指の固定方法は、裏革における内側指袋(内側親指袋、内側人差指、内側中指袋、内側薬指袋及び内側小指袋)に指を挿入する形が一般的である。しかし、内側指袋は実際の手よりはかなり大きく作られており、手袋に手を挿入する様なフィット感は得られず、指の周囲全体にある程度の空間を有するルーズなフィット感しか得られない。ボール捕球時のグラブの動きを考慮すると、空間があることでグラブを閉じることができるのであるが、例えば人差指と中指においては捕球時のボール衝撃やボールを掴むときの指の力をロスなくグラブに伝達させるためにもフィット感を必要とする場合もある。
【０００３】
そこで前記の問題点を解決するために特許文献１には、厚手の裏革に掌部、親指部、人差指部、中指部、薬指部及び小指部を一体成形し、人差指部、中指部及び薬指部の背面の各端縁に二枚の薄手の皮の端縁を縫合して袋を形成し、各袋にクッション材を挿入し、親指部及び小指部の背面の各端縁に一枚の薄手の皮の端縁を縫合したグラブが開示されている。
【特許文献１】実公平７−３７６５７号公報
【発明の開示】
【発明が解決しようとする課題】
【０００４】
しかしながら、前記特許文献１のグラブでは、クッション材を設けているのは、各指の背面部のみであるので、指の左右側部のホールド性やフィット性が不充分である。
【０００５】
そこで本発明は、捕球具の少なくとも一つの内側指袋内に指部安定用部材を配置することで、指のホールド性とフィット性を向上し、手から捕球具へのスムーズな力の伝達を可能とし、また捕球時のボールの衝撃を緩和することもできる捕球具を提供することを１つの目的とする。
【０００６】
本発明の他の目的は、着用者の指のホールド性やフィット性を向上させて手から捕球具へのスムーズな力の伝達が可能となる捕球具を提供することにある。
【課題を解決するための手段】
【０００７】
本発明の野球又はソフトボール用捕球具は、少なくとも背面革と受球面革で構成される表革の内部に、少なくとも手甲革及び手掌革で構成される裏革を挿入し、前記裏革は前記手甲革と手掌革との周縁を縫着することで形成された内側指袋を有し、着用者の指の根元部分から指先部分に至る領域のうち、少なくとも手掌側と左右両側とを含む領域に宛がわれる指部安定用部材を、内側親指袋、内側人差指袋、内側中指袋、内側薬指袋及び内側小指袋のうちの少なくとも一つの内側指袋内に配置したことを特徴とする野球又はソフトボール用捕球具である。
【０００８】
前記指部安定用部材は、指の根元部分から指先部分に至る領域の手掌側と左右両側とを含む領域に加えて手甲側の少なくとも一部を宛がうように配置することも可能であり、また着用者の手掌部に宛がわれる部分を含むようにすることも可能である。
【発明の効果】
【００１０】
本発明の野球又はソフトボール用捕球具によれば、指部安定用部材を捕球具本体中の内側指袋内に配置することで、指をホールドし、フィット感を得ることが可能となる。したがって、手から捕球具へのスムーズな力の伝達が可能となる。また副次的な効果としては、捕球時のボールの衝撃を緩和することが可能となる。
【発明を実施するための最良の形態】
【００１２】
本発明の実施の形態について説明する。本発明に係るグラブではグラブ本体は従来のグラブのグラブ本体と基本的に同一の構成を有する。即ち、グラブ本体はグラブ表面を形成する表革と前記表革の内部に挿入されグラブの内側を形成する裏革で構成される。前記表革は、図１４および図１５に示すように、少なくとも背面革５８と受球面革５７とで構成され、前記裏革は少なくとも手甲革と手掌革とで構成される。
【００１３】
前記背面革はそれぞれ５本の指袋を形成するように複数の皮革から成るパーツを縫着して作製され、前記受球面革は５本の略指型形状を有する。表革の作製は、受球面革５７と背面革５８との周縁を両者とも銀面側が内側になるように手口挿入部５９を除いた縁部を縫着した後、銀面側が表側となるように表裏反転させる。表革は外側親指袋５１、外側人差指袋５２、外側中指袋５３、外側薬指袋５４及び外側小指袋５５を含む外側指袋を有する。
【００１４】
裏革の作成は、前記表革よりも小さく裁断した５本の略指型形状を有する手掌革と、それぞれ５本の指袋を形成するように複数の皮革から成るパーツを縫着して仕上げた手甲革とを、両者の銀面側が内側になるように、手口挿入部を除いて周縁を縫着する。裏革は内側親指袋、内側人差指袋、内側中指袋、内側薬指袋及び内側小指袋を含む内側指袋を有する。
【００１５】
前記表革の所要部に、フェルト等で作られた芯体やその他の衝撃吸収体、ワックス等を挿入したり、オイルを含浸させた後、前記裏革を挿入し、表革と裏革の手口挿入部５９を革紐で結合する。各外側指袋の中には該当する各内側指袋が挿入される。さらに外側親指袋５１と外側人差し指袋５２の間には、別途形成したウエブ５６をこれも革紐で結合して、最終的にグラブ５０本体として仕上げる。
【００１６】
前記背面革５８、受球面革５７、手甲革及び手掌革は天然皮革、合成皮革、その他これらと同材質の材質で構成される。
【００１７】
次に指部安定用部材について説明する。指部安定用部材は着用者の指の根元部分から指先部分に至る着用者の指の周囲に位置する領域のうち、少なくとも着用者の指の両側の領域に設置される。この指部安定用部材は、上記着用者の指の周囲に位置する領域のうち、少なくとも着用者の指の手掌側の領域と左右両側の領域とを含む領域に、着用者の指に宛がわれる（沿う）ように設けられてもよい。指部安定用部材の形状は配置される指の大きさ（太さや長さ）に適合するように適宜調整される。本発明の好適例では、長さ方向は少なくとも指の根元部分から指先部分に至る長さの二分の一以上が必要であり、周方向は手掌側と左右両側とを足した分の長さが必要である。また好適例の指部安定用部材は少なくとも前記の着用者の指の手掌側の領域と左右両側の領域とを含む領域において指に宛がわれて（沿って）いれば良く、前記の領域に加えて、指の手甲側の一部或いは全部に宛がわれる（沿う）ように指部安定用部材を延設することも可能である。そうすることで着用者の指の手掌側と左右両側に加えて手甲側においてもホールド性とフィット性を向上させることができる。また、指部安定用部材は前記の領域に加えて、着用者の手掌部に沿う部分を含むように延設することも可能である。そうすることで捕球時のボールの衝撃をより緩和することができる。
【００１８】
前記指部安定用部材は、グラブ本体中の内側親指袋、内側人差指袋、内側中指袋、内側薬指袋及び内側小指袋の少なくとも一つの内側指袋内に達するように配置する。捕球時のボールの衝撃や捕球時の力の入れ具合を考慮すると、内側人差指及び内側中指袋に配置することが好ましい。
【００１９】
指部安定用部材は天然皮革、合成皮革、その他これらと同材質の材質で構成される。指部安定用部材はグラブ本体とは別途形成された後、縫着又は接着によってグラブ本体と一体化される。
【００２０】
前記の指部安定用部材をグラブ本体の内側指袋内に配置することで、指部安定用部材に補助された指はしっかりとホールドされ、手袋に手を挿入する様なタイトなフィット感を得ることが可能となり、手からグラブへのスムーズな力の伝達が可能となる。また副次的な効果として捕球時のボールの衝撃を緩和することもできる。特に指部安定用部材を内側人差指袋及び内側中指袋に配置した場合は、ボールを掴むときの指の力をロスすることなくグラブに伝達させること及び捕球時のボール衝撃を緩和することに関して、高い効果を得ることが可能となる。また指部安定用部材が手甲側の一部或いは全部の領域を含む場合はさらにタイトなフィット感を得ることができる。また指部安定用部材が着用者の手掌部に沿う部分を含む場合は、さらにグラブと手とのフィット感が向上すると共に、手掌部で捕球した際の衝撃を緩和することもできる。
【実施例】
【００２１】
以下、実施例について説明する。図１は本実施例の指部安定用部材に用いる部材の展開図、図２は図１で示した指部安定用部材の各種寸法の説明図、図３は図１の部材の一部を接着した状態を示す図、図４は指部安定用部材と人差指の手甲革とを縫着した状態のものを左手人差指に装着した状態を示す図、図５は指部安定用部材を内側人差指袋と内側中指袋に縫着した裏革を示す図である。
【００２２】
本実施例の指部安定用部材１は、たとえば図１４および図１５に示すグラブ５０における裏革に装着可能であり、図１に示すように主部材２と副部材３で構成される。主部材２は、指の手掌側に宛がわれる手掌部２０、左側に宛がわれる左側部２１、右側に宛がわれる右側部２２、手掌部に宛がわれる延設部２３、延設部の左右両側に設けられた第一縫代部２４、左側部及び右側部の外側に設けられた第二縫代部２５によって構成される。副部材３は略長方形状であり、下端部は徐々に幅が狭くなっている。
【００２３】
図２に示すように各部材の大きさについては、主部材２の縦方向の長さＬ１が１３０ｍｍ（手掌部の長さＬ１１は７０ｍｍ、延設部の長さＬ１２は６０ｍｍ）、横方向の長さについては、指の根元部分Ｌ２が５０ｍｍ、第二縫代部の先端部分Ｌ３が４０ｍｍ、第一縫代部の幅Ｌ４が１０ｍｍ、第二縫代部の幅Ｌ５が３ｍｍ、となっている。副部材３の縦方向の長さＬ６が９５ｍｍ、横方向の長さＬ７が１０ｍｍとなっている。
【００２４】
次に、図３に示すように、副部材３を主部材２と上端が揃うように主部材２の縦方向中心部に接着し、また第一縫代部２４を折り返し接着により主部材本体に係止する。副部材３を主部材２の縦方向中心部に設けることでフィット性、ホールド性及び衝撃吸収性をより高めることができる。前記のように構成した指部安定用部材１を縫着によってグラブ本体の裏革に取り付ける。その場合、第一縫代部２４は手掌革への縫着、第二縫代部２５は手甲革への縫着に用いられる。図４は指部安定用部材１の第二縫代部２５を人差指袋の手甲革４０ｂに縫着した状態を示している。
【００２５】
指部安定用部材１を裏革に取り付ける際の手順は、まず指部安定用部材１の第二縫代部２５を手甲革４０ｂに縫着し、次に前記手甲革４０ｂと手掌革４０ａとを縫着して裏革４０を作成し、最後に指部安定用部材１の第一縫代部２４と手掌革４０ａとを縫着するという順序で行う。
【００２６】
裏革は表革よりも小さく裁断した５本の略指型形状を有する手掌革４０ａと、それぞれ５本の指に応じた形状の手甲革４０ｂとを両者の銀面側が内側になるように縫着することで、内側親指袋、内側人差指袋、内側中指袋、内側薬指袋及び内側小指袋の内側指袋を形成する。本実施例では図５に示すように、指部安定用部材１を裏革４０の内側人差指袋４１と内側中指袋４２に縫着して取り付けている。
【００２７】
前記のように形成した指部安定用部材を含む裏革を、別途背面革と受球面革とで形成した表革の内部に挿入し、本実施例に係るグラブとする。
【００２８】
前記説明した指部安定用部材の形状や大きさは一例に過ぎず、着用者の指の大きさ（太さや長さ）に適合するように調整される。
【００２９】
次に、上述した図１〜図５に示すタイプの指部安定用部材１の形状について図６を用いてさらに詳細に説明するとともに、図７〜図１３を用いて指部安定用部材１の他の実施例について説明する。
【００３０】
図６に示すように、図１〜図５に示すタイプの指部安定用部材１は、少なくとも着用者の指の左右両側に配置される１組の壁部を有すればよい。この壁部は、典型的には内側指袋内において手甲革４０ｂから手掌革４０ａに達するように設けられ、着用者の指を挿入可能な空間を内側指袋内に規定する。
【００３１】
図６の例では、指部安定用部材１は、１組の壁部の下端部（他方端）を接続する手掌部を有しているが、この手掌部は省略可能である。なお、手掌部を省略する場合、１組の壁部の上下方向の両端部をそれぞれ手掌革４０ａと手甲革４０ｂとに固着（たとえば縫着や接着等）すればよい。
【００３２】
また、図６に示す指部安定用部材１では、１組の壁部の上端部（一方端）を折り曲げて第二縫代部２５を設けている。該第二縫代部２５において指部安定用部材１を手甲革４０ｂに縫着する。さらに、図６に示す指部安定用部材１は、着用者の手掌に沿う部分である延設部２３を有し、この周縁部に第一縫代部２４を設けている。この第一縫代部２４において指部安定用部材１を手掌革４０ａに縫着する。つまり、図１〜図６に示すタイプの指部安定用部材１では、指部安定用部材１において手甲革４０ｂ側に位置する部分を手甲革４０ｂに固着し、指部安定用部材１において手掌革４０ａ側に位置する部分を手掌革４０ａに固着する。なお、指部安定用部材１は、裏革の内側指袋内にのみ設置してもよいが、内側指袋から外部に露出する部分を有するように内側指袋に装着してもよい。
【００３３】
図７に示すように、延設部２３を省略してもよい。この場合、第一縫代部２４は、指部安定用部材１の手掌部の周縁部に設けられる。これ以外の構成は、図６に示す指部安定用部材１の場合と同様である。
【００３４】
また、図８に示すように、指部安定用部材１は、１組の壁部とともに筒状部（環状部）２６を有するものであってもよい。この筒状部２６には、着用者の指を挿入可能である。このように１組の壁部とともに筒状部２６を有する場合には、着用者の指を指部安定用部材１に挿入した際に、着用者の指の左右両側を指の長手方向の複数箇所で支持することができる。したがって、捕球具を装着した際のホールド感やフィット感をさらに向上することができる。
【００３５】
なお、図８の例では、筒状部２６は延設部２３に設けられているが、１組の壁部の上端部を選択的に接続することで筒状部を設けてもよい。つまり、筒状部２６と１組の壁部とを一体化してもよい。また、筒状部２６の横断面形状は、円形に限らず楕円、長円、四角形状等の任意の形状とすることができる。
【００３６】
さらに、図８に示すように、指部安定用部材１の長手方向に筒状部２６と１組の壁部とを分離してもよい。この場合、筒状部２６と１組の壁部との間の間隔は任意に選択可能である。また、図８に示すように、１組の壁部を着用者の指の先端側に配置し、筒状部２６を１組の壁部よりも着用者の指の付根側に配置してもよいが、これらの位置を逆転させてもよい。
【００３７】
さらに、図８の例では、１つの筒状部２６を設ける場合を例示したが、複数の筒状部２６を設けてもよい。また、１組の壁部間の間隔と、筒状部２６の直径とを等しくしてもよいが、これらを異ならせてもよい。１組の壁部間の間隔と、筒状部２６の直径とを異ならせる場合、一般に人の手の甲側から見た場合の指の幅はその長手方向に若干変化することから、その幅の変化に応じて１組の壁部間の間隔と、筒状部２６の直径とを設定することが考えられる。たとえば、１組の壁部を筒状部２６よりも着用者の指の先端側に配置した場合には、人の指の先端の幅が一般に指の付根の幅よりも小さいことに鑑み、１組の壁部間の間隔（最大値）よりも筒状部２６の直径を大きくすることが考えられる。この場合には、指部安定用部材１にスムーズに着用者の指を挿入することができ、かつ捕球具を装着した際のホールド感やフィット感を向上することができる。
【００３８】
また、筒状部２６と１組の壁部とを設ける場合、これらの双方を内側指袋内に配置してもよいが、これらの少なくとも一方を内側指袋の外部に露出させてもよい。たとえば、図８の例では、筒状部２６の少なくとも一部を内側指袋の外部に露出させてもよく、１組の壁部の一部とともに筒状部２６を内側指袋の外部に露出させてもよい。なお、図８の例では、１組の壁部の一部が内側指袋の外部に露出する場合、これらの下端部を接続する手掌部も内側指袋の外部に露出するこことなる。
【００３９】
図９に示すように、図６や図７に示す１組の壁部の代わりに、筒状部２６を設けてもよい。この場合、筒状部２６の一部で１組の壁部が構成されることとなる。この図９に示す筒状部２６も内側指袋内に設置してもよいが、この筒状部２６の一部を内側指袋の外部に露出させてもよい。また、筒状部２６の直径を変化させてもよい。たとえば着用者の指の幅の変化に応じて筒状部２６の直径を変化させることが考えられる。
【００４０】
図１０に示すように、指部安定用部材１に複数の筒状部２６を設けてもよい。この図１０の例では、３つの筒状部２６を設ける場合を例示したが、筒状部２６の数は任意に選択可能である。また、筒状部２６間の間隔も任意に設定可能である。さらに、図１０に示す場合も、各筒状部２６の直径を着用者の指の幅の変化に応じて変化させることも考えられる。また、図１０に示す筒状部２６の全てを内側指袋内に設置してもよいが、この筒状部２６の一部を内側指袋の外部に露出させてもよい。
【００４１】
図１１に示すように、筒状部２６を、手掌部２０の長手方向の端部から離れた位置に設けてもよい。たとえば、手掌部２０の長手方向の中間部分や、延設部２３の近傍に筒状部２６を設けることが考えられる。この場合には、着用者の指の長手方向の中間部分や、着用者の指の付根部分あるいはその近傍の部分を、選択的に、筒状部２６で安定して保持あるいは支持することができる。図１１の例では、着用者の指の付根部に対応した位置に筒状部２６を設けているので、着用者の指の付根部を筒状部２６で安定して保持することができる。
【００４２】
図１２に示すように、手掌部２０の長さを変化させてもよい。手掌部２０は、典型的には、少なくとも着用者の指の先端から付根に至る手掌側に当接可能な長さを有するが、当該長さよりも手掌部２０の長さを短くしてもよい。図１２の例では、着用者の指の付根部に対応した位置に筒状部２６を設ける一方で、着用者の指の付根部およびその近傍に対応した位置にのみ手掌部２０を設けている。それにより、着用者の指の付根部を筒状部２６で安定して保持しながら、手掌部２０によって着用者の指の付根部およびその近傍の手掌側の部分を支持可能となる。
【００４３】
図１３に示すように、筒状部２６を、着用者の指の先端部に対応した位置に設けるとともに、着用者の指の付根部に対応した位置に設けることも考えられる。この場合には、筒状部２６によって、着用者の指の先端部と付根部とを安定して保持あるいは支持することができる。
【００４４】
以上のように本発明の実施の形態および実施例について説明を行なったが、上述の実施の形態および実施例の構成を適宜組合わせることも当初から予定している。また、上述の実施の形態および実施例中の構成は全てが必須というものでもなく、一部の構成を省略することも可能である。さらに、今回開示した実施の形態および実施例はすべての点での例示であって制限的なものではないと考えられるべきである。本発明の範囲は特許請求の範囲によって示され、特許請求の範囲と均等の意味および範囲内でのすべての変更が含まれる。
【図面の簡単な説明】
【００４５】
【図１】本発明の一実施例の指部安定用部材に用いる部材の展開図である。
【図２】図１で示した指部安定用部材の各種寸法の説明図である。
【図３】図１に示した部材の一部を接着した状態を示す図である。
【図４】指部安定用部材と人差指の手甲革とを縫着した状態のものを左手人差指に装着した状態を示す図である。
【図５】指部安定用部材を内側人差指袋と内側中指袋に縫着した裏革を示す図である。
【図６】本発明の一実施例の指部安定用部材の斜視図である。
【図７】本発明の他の実施例の指部安定用部材の斜視図である。
【図８】本発明のさらに他の実施例の指部安定用部材の斜視図である。
【図９】本発明のさらに他の実施例の指部安定用部材の斜視図である。
【図１０】本発明のさらに他の実施例の指部安定用部材の斜視図である。
【図１１】本発明のさらに他の実施例の指部安定用部材の斜視図である。
【図１２】本発明のさらに他の実施例の指部安定用部材の斜視図である。
【図１３】本発明のさらに他の実施例の指部安定用部材の斜視図である。
【図１４】本発明の一実施例の捕球具を示す正面図である。
【図１５】本発明の一実施例の捕球具を示す背面図である。
【符号の説明】
【００４６】
１  指部安定用部材、２  主部材、３  副部材、２０  手掌部、２１  左側部、２２  右側部、２３  延設部、２４  第一縫代部、２５  第二縫代部、２６  筒状部、４０  裏革、４０ａ  手掌革、４０ｂ  手甲革、４１  内側人差指袋、４２  内側中指袋、５０  グラブ、５１  外側親指袋、５２  外側人差指袋、５３  外側中指袋、５４  外側薬指袋、５５  外側小指袋、５６  ウェブ部、５７  受球面革、５８  背面革、５９  手口挿入部。
【図１】
0004796428.tif 000002
【図２】
0004796428.tif 000003
【図３】
0004796428.tif 000004
【図４】
0004796428.tif 000005
【図５】
0004796428.tif 000006
【図６】
0004796428.tif 000007
【図７】
0004796428.tif 000008
【図８】
0004796428.tif 000009
【図９】
0004796428.tif 000010
【図１０】
0004796428.tif 000011
【図１１】
0004796428.tif 000012
【図１２】
0004796428.tif 000013
【図１３】
0004796428.tif 000014
【図１４】
0004796428.tif 000015
【図１５】
0004796428.tif 000016